【事件の表示】
　特願２００１−１６８８８１「ヘッドスライダ支持体」拒絶査定不服審判事件〔平成１４年　１月１８日出願公開、特開２００２−　１５５３５〕について、次のとおり審決する。
【結　論】
　本件審判の請求は、成り立たない。
【理　由】
１．手続の経緯、本願発明
　本件特許出願は、平成５年４月８日（優先権主張　平成４年１１月２７日、特願平４−３１８８４６号）に出願された特願平５−８２１１０号の一部を分割して、平成１３年６月４日に出願したものであって、その請求項１ないし４に係る発明は、平成１６年８月１６日付けで手続補正がされた明細書及び図面の記載からみて、その特許請求の範囲の請求項１ないし４に記載されたとおりのものであると認められるところ、そのうち、請求項１に係る発明（以下、「本願発明」という。）は、次のとおりである。
「【請求項１】
　ヘッドスライダを支持するためのヘッドスライダ支持体であって、
　長手方向の先端側に開口部を有し、
　当該開口部は、前記ヘッドスライダを固定するためのヘッドスライダ固定部と、前記ヘッドスライダ固定部を前記ヘッドスライダ支持体の本体部に連結する可撓性を有する複数の梁部とを形成する形状を有しており、
　前記複数の梁部は、前記ヘッドスライダ固定部より前記ヘッドスライダ支持体の長手方向に沿って更に先端側に延びる第一の梁部と、前記第一の梁部より両側に別れて延在し、前記ヘッドスライダ固定部の両側を通り前記ヘッドスライダ支持体の本体部に夫々連結する第二及び第三の梁部とから構成されてなり、前記第二の梁部は、前記第一の梁部より長手方向中心線に直交する方向の一方の側に延在する第一のつなぎ部を有し、前記第三の梁部は、前記第一の梁部より長手方向中心線に直交する方向の他方の側に延在する第二のつなぎ部を有すると共に、
前記開口部は、前記ヘッドスライダ固定部より先端側で、両側からヘッドスライダ支持体の長手方向の中心線に向かって該中心線と直交する方向に延在し、
　前記第一の梁部の幅は、前記ヘッドスライダ固定部の幅より狭く、
　前記第二及び第三の梁部がヘッドスライダ支持体の本体部と連結してある部位がヘッドスライダ固定部よりもヘッドスライダ支持体の基部側であるように構成したことを特徴とするヘッドスライダ支持体。」
　
　ここにおいて、上記請求項１をはじめ、各請求項に係る発明は、本願明細書の第１３１段落ないし第１８５段落、及び図２０ないし図２６に「本発明の一実施例」として記載されるものに対応することが明らかであるが、前記明細書及び図面の記載は、優先権主張の基礎とされる特願平４−３１８８４６号の、出願当初の明細書及び図面には記載のない事項であるから、本件特許出願については、優先権主張の効果を認めることができない。
　
　
２．引用例
（１）第１引用例
　これに対し、原査定の拒絶の理由で引用された特開平４−３２１９１８号公報（平成４年１１月１１日公開。以下、「第１引用例」という。）には、図面とともに次の技術事項が記載されている。
　
（ａ）
「【０００１】
【産業上の利用分野】本発明は、スイングアームの先端に設けた磁気ヘッドにより磁気ディスクに情報の記録，再生を行う磁気ディスク装置に関する。
【０００２】
【従来の技術】図４に従来技術の磁気ディスク装置を示す。
【０００３】図中、１はハウジングで、該ハウジング１は底板２Ａを有する有底筒状のハウジング本体２と、該ハウジング本体２を施蓋するカバー３とから構成されている。４はハウジング本体２の底板２Ａ側に設けられたディスク駆動モータの回転軸で、該回転軸４にはクランプ５を介して磁気ディスク６が取付けられ、該磁気ディスク６は回転軸４と一体回転する。
【０００４】７はスイングアームで、該スイングアーム７は、ハウジング本体２の底板２Ａに植設されたピボット軸８に回動可能に取付けられた回動アーム９と、該回動アーム９の先端側に設けられ、薄い金属板等の板ばねによって形成された支持ばね１０とからなり、該支持ばね１０の基端側はビス１１等で回動アーム９に固定されている。そして、該支持ばね１０の先端には、前記磁気ディスク６に情報の記録再生を行う磁気ヘッド１２が設けられ、該磁気へッド１２は回動アーム９の基端側に位置してハウジング本体２の底部２Ａに設けられたボイスコイルモータ１３により、スイングアーム７を介して磁気ディスク６の径方向に移動される。」
　
（ｂ）
「【０００８】このように構成される従来技術の磁気ディスク装置では、磁気ディスク６がディスク駆動モータの回転軸４で回転駆動されると、磁気ヘッド１２と磁気ディスク６の表面との間に空気流が発生し、この空気流により磁気ヘッド１２が磁気ディスク６の表面上に浮上する。そして、ボイスコイルモータ１３を駆動して磁気ヘッド１２を磁気ディスク６の任意のトラック上に移動させ、ヘッドアンプ１６からフラットケーブル１５およびリード線１４を介して磁気ヘッド１２に信号を入，出力することにより、磁気ディスク６の任意のトラックに磁気ヘッド１２を介して情報の記録，再生を行なう。」
　
（ｃ）
「【００１３】
【実施例】以下、本発明の実施例を図１ないし図３に基づき説明する。なお、実施例では前述した従来技術と同一の構成要素に同一符号を付し、その説明を省略するものとする。
【００１４】図中、２１は本実施例のスイングアームを示し、該スイングアーム２１は従来技術で述べたスイングアーム７とほぼ同様に、回動アーム９の先端側にビス１１等を介して支持ばね２２が固着されているものの、該支持ばね２２は金属ばね２３と、該金属ばね２３の下側に貼着されたフラットケーブル２４とから構成されている。
【００１５】ここで、金属ばね２３は図２に示す如く弾力性を有する一枚の金属薄板からなり、その先端側には略コ字状の打抜き部２３Ａが形成され、該打抜き部２３Ａの内側は金属ばね２３と連続した状態のまま下方へ折り曲げられ、柔軟なばね性を付与された磁気ヘッド支持部２３Ｂとなっている。また、金属ばね２３の基端側には、該金属ばね２３を回動アーム９にビス１１で固定するためのビス穴２３Ｃが穿設されている。」
　
（ｄ）
「【００１８】２７，２７，…はケーブル本体２５の磁気へッド支持部２５Ｂ下面側に位置し、各プリント配線２６の先端に接続されたランド、２８は該各ランド２７に接続され、金属ばね２３、ケーブル本体２５の磁気へッド支持部２３Ｂ，２５Ｂに支持された磁気へッドを示し、該磁気へッド２８は磁気へッド支持部２５Ｂの下面に固着され、各ランド２７を介してフラットケーブル２４の各プリント配線２６先端に半田付け等で接続されている。」
　
　上記記載事項及び図面を総合勘案すると、上記第１引用例には、次の発明（以下、「引用発明」という。）が記載されている。
　
「下側にフラットケーブルが貼着されて支持ばねを構成する金属ばねであって、
　前記金属ばねは、弾力性を有する一枚の金属薄板からなり、その先端側には略コ字状の打抜き部が形成され、
　前記打抜き部の内側は金属ばねと連続した状態のまま下方へ折り曲げられ、柔軟なばね性を付与された磁気ヘッド支持部となり、
　磁気へッドが金属ばねの前記磁気へッド支持部に支持されるように構成された、
　金属ばね。」
　
（２）第２引用例
　また、同じく、原査定で引用された、本願出願日前に頒布された刊行物である、特開平３−１８９９７６号公報（以下、「第２引用例」という。）には、図面とともに次の技術事項が記載されている。
（ｅ）「アームに取り付けられたフレクシャに貫通孔を設ける事によって、前記フレクシャに一体に揺動自在のジンバル部を設け、前記ジンバル部にスライダーを取り付けて為る磁気ヘッド支持装置。」（１頁左下欄「２特許請求の範囲（１））
　
（ｆ）「第１図において、１４はアーム３に固定されたフレクシャで、フレクシャ１４の両側端にはそれぞれ折り返し部１５，１６が設けられている。又フレクシャ１４にはフレクシャ１４をエッチングする事によってジンバル部１７が設けられている。第２図にジンバル部１７の拡大斜視図を示す。ジンバル部１７にはくびれ部１８，１９，２０，２１が設けられており、くびれ部２０，２１の先にはそれぞれスライダー１０を固定する接合部２０ａ，２１ａが設けられ手いる。又くびれ部１８，１９の先はそれぞれフレクシャに一体となっている。」（２頁右下欄第１９行〜３頁左上欄第１０行）
　
（ｇ）「以上のように構成された本実施例の磁気ディスク装置の磁気ヘッド支持装置について以下その動作を説明する。磁気ディスク１３が回転すると、スライダ１０は磁気ディスク１３の表面とわずかな隙間を保って浮上し、磁気ディスク１３の記録面がうねるとこのうねりに追従して磁気ディスク１３の記録面と垂直方向に移動する。スライダ１０が磁気ディスク面と垂直な方向に移動すると、フレクシャ１４のアーム３への取り付け部付近がたわみ、またスライダ１０がピッチングあるいはローリングすると、ジンバル部１７のくびれ部１８，１９，２０，２１がねじれる。このようにスライダ１０は磁気ディスク１３の記録面と垂直方向にあまり移動することがなく、磁気ディスク１３のうねりに対して十分追従することができる。」（３頁左上欄第２０行〜右上欄第１４行）
　
（ｈ）「第３図に示す様にくびれ部２０，２１の先がフレクシャ１４と一体となり、くびれ部１８，１９の先にスライダ１０を固定する接合部１８ａ，１８ｂを設けても同様の効果を得る事ができる。これは、フレクシャ１及びジンバル２を結ぶくびれ部６，７のなす角とフレクシャ長手方向とが直交するように形成することにより、前記フレクシャ・ジンバル・スライダのアッセンブリをスイングアーム方式でも利用できるように考案した例である。」（３頁右下欄第１行〜第１０行）
　
　
３．対　比
　本願発明と引用発明とを対比する。
　
　引用発明の「磁気ヘッド」と、本願発明の「ヘッドスライダ」を比較すると、いずれも「ヘッド」を含むものである点で一致する。
　引用発明の「金属ばね」と、本願発明の「ヘッドスライダ支持体」を比較すると、いずれも少なくとも「ヘッド」を支持する機械的な要素であることが明らかであるから「ヘッド支持体」である点で一致するということができる。
　引用発明の「金属ばね」は、「その先端側には略コ字状の打抜き部が形成され」ているので、本願発明の「ヘッドスライダ支持体」と比較して、「長手方向の先端側に開口部を有し」との構成において一致している。
　引用発明において「前記打ち抜き部の内側」は、「金属ばねと連続した状態のまま下方へ折り曲げられ、柔軟なばね性を付与された磁気ヘッド支持部となり」、そして、「磁気へッドが金属ばねの前記磁気へッド支持部に支持される」のであるから、本願発明の開口部と比較して、「ヘッドを固定するためのヘッド固定部」を有する点で一致している。
　
　引用発明の前記「打ち抜き部」について、「略コ字状」と特定されている点を、第１引用例の図２も併せて参照すると、打ち抜き部の先端側には磁気ヘッドを支持する部分である「打ち抜き部の内側」が金属ばねとつながっており、打ち抜き部の両側にはそれぞれ金属ばねの先端側と基端側とをつなぐ部分が形成され、打ち抜き部の後ろ側には打ち抜かれた分だけ打ち抜き部の内側よりも金属ばねの基端側で、前記金属ばねの先端側と基端側とをつなぐ部分が本体部とつながった形状となるものである。
　そして、前記金属ばねの両側に形成される、それぞれ金属ばねの先端側と基端側とをつなぐ部分は、それぞれ「梁部」ということができるから、引用発明の金属ばねの「打ち抜き部」形状と本願発明の「開口部」形状を比較すると、両者は
「ヘッドを固定するためのヘッド固定部と、ヘッド固定部を前記ヘッド支持体の本体部に連結する可撓性を有する複数の梁部とを形成する形状を有しており」との点で一致する。
　また、「梁部」については、さらに、「前記複数の梁部は、」「前記ヘッド固定部の両側を通り前記ヘッド支持体の本体部に夫々連結する第二及び第三の梁部とから構成されてなり」の点、及び「前記第二及び第三の梁部がヘッド支持体の本体部と連結してある部位がヘッド固定部よりもヘッド支持体の基部側であるように構成した」の点で本願発明と一致する。
　
　以上のことから、本願発明と引用発明とは次の点で一致する。
　＜一致点＞
「ヘッドを支持するためのヘッド支持体であって、
　長手方向の先端側に開口部を有し、
　当該開口部は、前記ヘッドを固定するためのヘッド固定部と、前記ヘッド固定部を前記ヘッド支持体の本体部に連結する可撓性を有する複数の梁部とを形成する形状を有しており、
　前記複数の梁部は、前記ヘッド固定部の両側を通り前記ヘッド支持体の本体部に夫々連結する第二及び第三の梁部とから構成されてなり、
　前記第二及び第三の梁部がヘッド支持体の本体部と連結してある部位がヘッド固定部よりもヘッド支持体の基部側であるように構成した
ヘッド支持体。」
　
　一方、次の各相違点で相違する。
＜相違点１＞
　本願発明においては、ヘッドは「ヘッドスライダ」であって、ヘッド支持体は「ヘッドスライダ支持体」、ヘッド固定部は「ヘッドスライダ固定部」であるのに対し、引用発明においては、ヘッドは「磁気ヘッド」であって、ヘッド支持体に相当する「金属ばね」、及びヘッド固定部に相当する「磁気ヘッド支持部」についても、「スライダ」を支持又は固定すると特定されていない点。
＜相違点２＞
「複数の梁部」について、本願発明では、「前記ヘッドスライダ固定部より前記ヘッドスライダ支持体の長手方向に沿って更に先端側に延びる第一の梁部」を有すると特定し、さらに、「第一の梁部の幅は、前記ヘッドスライダ固定部の幅より狭く」と特定されるのに対し、引用発明では第一の梁部が特定されない点。
＜相違点３＞
「第二及び第三の梁部」について、本願発明では、「前記第一の梁部より両側に別れて延在し」及び「前記第二の梁部は、前記第一の梁部より長手方向中心線に直交する方向の一方の側に延在する第一のつなぎ部を有し、前記第三の梁部は、前記第一の梁部より長手方向中心線に直交する方向の他方の側に延在する第二のつなぎ部を有す
る」と特定されるのに対し、引用発明ではそのように特定されない点。　
＜相違点４＞
本願発明では、「開口部」について、「前記ヘッドスライダ固定部より先端側で、両側からヘッドスライダ支持体の長手方向の中心線に向かって該中心線と直交する方向に延在し」と特定するのに対し、引用発明の打ち抜き部はそのように特定されない点。
　
　
４．判　断
　そこで、上記各相違点について検討する。
（１）相違点１について
　例えば第２引用例に磁気ディスク装置のヘッド支持装置がジンバルにスライダーを取り付けて為ると記載されているように、磁気ディスク装置において、磁気ヘッドとヘッドスライダは、磁気ヘッドはスライダに取り付けられ、又は一体的に形成されるのが普通であるから、相違点１は単に周知事項の特定で相違するにすぎず、引用発明の「磁気ヘッド」「金属ばね」「磁気ヘッド支持部」を、それぞれ「ヘッドスライダ」「ヘッドスライダ支持体」「ヘッドスライダ支持部」とすることは当業者が容易に想到しうるものである。
　
（２）相違点２ないし相違点４について
　相違点２ないし相違点４については、まとめて検討を加える。
　第２引用例には、磁気ヘッド装置特にヘッドスライダの支持装置について記載されている。
　特に第３図に示された第２実施例では、スライダ１０を固定する部分の一つ１８ａから、くびれ部１８がフレクシャ１４の長手方向、先端側に形成され、当該くびれ部１８からフレクシャ１４の左右両側にくびれ部２０，２１が形成されて、その先は左右に延びてフレクシャ１４と一体となるようにジンバル部が形成されている。
　すると、前記くびれ部１８は、
「ヘッドスライダ固定部より前記ヘッドスライダ支持体の長手方向に沿って更に先端側に延びる第一の梁部」ということができ、くびれ部であることから「第一の梁部の幅は、前記ヘッドスライダ固定部の幅より狭く」形成されているということが明らかである。
　また、前記くびれ部を形成する「貫通孔」は、明らかに「開口部」といえるものであるところ、前記くびれ部の周囲に形成される前記貫通孔の形状について検討すると、前記くびれ部がヘッドスライダ固定部より幅が狭く形成されていることから当該貫通孔は、「前記ヘッドスライダ固定部より先端側で、両側からヘッドスライダ支持体の長手方向の中心線に向かって該中心線と直交する方向に延在」する形状といえることが明らかである。
　次に、前記くびれ部２０，２１が形成されて、その先は左右に延びてフレクシャ１４と一体となる構造について検討すると、前記くびれ部２０，２１は、くびれ部１８から左右に分かれて延びる形状であるから「第一の梁部より両側に別れて延在」するということができ、さらには、前記くびれ部からフレクシャと一体となっている部分は、
「前記第一の梁部より長手方向中心線に直交する方向の一方の側に延在する第一のつなぎ部」、及び「前記第一の梁部より長手方向中心線に直交する方向の他方の側に延在する第二のつなぎ部」となっていることも明らかである。
　
　第２引用例に記載された技術事項は、磁気ヘッド装置、特にヘッドスライダの支持装置に関するものである点で引用発明と共通するものであって、ヘッドスライダが磁気ディスクに良好に追従するようにするとの技術課題は、磁気ディスク装置において普通に認識される技術課題である。
　すると、引用発明の磁気ヘッド支持体である金属ばねに第２引用例に記載されたジンバル部の構造を適用して、ヘッドスライダを固定する部分である打ち抜き部の内側からくびれ部、すなわち前記打ち抜き部の内側より幅の狭い部分を金属ばねの長手方向、先端側に形成することにより、当該くびれ部から金属ばねの左右両側につなぎ部が形成され、その先は左右に延びて金属ばねと一体となるようにジンバル部が形成され、また、打ち抜き部自体は前記打ち抜き部の内側より先端側で両側から金属ばねの長手方向の中心線に向かって該中心線と直交する方向に延在する形状となることが明らかであるから、相違点２ないし４について本願発明のように構成することは当業者が容易に想到しうるものである。
　
（３）そして、上記各相違点を総合的に判断しても、本願発明が奏する効果は、各引用例に記載された発明及び周知技術から、当業者が十分に予測できたものであって、格別なものとはいえない。
　
　
５．むすび
　以上のとおりであって、本願の請求項１に係る発明は、各引用例に記載された発明に基づいて、周知事項も参酌することにより当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。